(57)【特許請求の範囲】
【請求項１】
部屋の天井近傍に設置されており、吹き出し開口（２４ａ，２４ｂ）と前記吹き出し開口よりも前記部屋の側方に位置する所定の壁面（Ｗ）側に配置される吸い込み開口（２３）とが形成されているケーシング（２０）と、
前記吹き出し開口から所定の風向範囲内に吹き出す空気の吹き出し方向である第１風向（Ａ１）と、前記吹き出し開口から前記所定の風向範囲よりも前記部屋の前記所定の壁面側に吹き出す空気の吹き出し方向である第２風向（Ａ２）とを切り換え可能な風向調整部（２２ａ，２２ｂ）と、
前記吸い込み開口近傍に配置されており、前記部屋内の温度情報を取得する機能を有する取得部（６１）と、
暖房運転時において、前記吹き出し開口からの空気の吹き出し方向が前記第２風向である場合に、前記取得部を前記機能が停止している状態である機能停止状態にすることが可能な制御部（６０）と、
を備える空気調和機（１００）。
【請求項２】
前記制御部は、前記吹き出し開口からの空気の吹き出し方向が前記第２風向から前記第１風向に切り換わった時から第１所定時間が経過するまで、前記取得部を前記機能停止状態にすることが可能である、
請求項１に記載の空気調和機。
【請求項３】
前記制御部は、
前記部屋内の温度が安定しているか否かを判定する判定部（６２）を有し、
前記判定部は、前記部屋内の温度情報を利用して算出される前記部屋内の温度と予め設定されている設定温度との差が所定範囲内であるという第１条件、前記暖房運転を含む空気調和運転の運転開始時から第２所定時間以上経過しているという第２条件、および、前記取得部の状態が機能停止状態となってから第３所定時間以上経過している第３条件のうちの少なくとも１つの条件を満たしている場合に、前記部屋内の温度が安定していると判定し、
前記判定部によって前記部屋内の温度が安定していると判定された場合には、前記風向調整部を、前記第１風向から前記第２風向に切り換える、
請求項１または２に記載の空気調和機。
【請求項４】
前記吹き出し開口から吹き出される空気流を生成可能なファン（５）を備え、
前記制御部は、前記第２風向時に前記ファンが所定の風量となるように、前記ファンの回転を制御する、
請求項１から３のいずれかに記載の空気調和機。
【請求項５】
前記ファンを収納可能な本体ケーシング（１３）を備え、
前記本体ケーシングは、前記部屋の前記天井近傍であって、前記ケーシングの上方に設置される、
請求項４に記載の空気調和機。
【発明の詳細な説明】
【技術分野】
【０００１】
本発明は、エアバリアを形成する機能を有する空気調和機に関する。
【背景技術】
【０００２】
部屋内の空間には、年間を通じて屋外の温度の影響を受けにくい中央空間（以下、インテリアゾーンという）と、屋外の温度の影響を受けやすい窓や壁面近傍の空間（以下、ペリメータゾーンという）とが存在する。ペリメータゾーンが屋外の温度の影響を受けている場合、屋外の温度の影響を受けた空気がペリメータゾーンからインテリアゾーンに進出したりすることで、それぞれの空間の空気が拡散される。このため、例えば、インテリアゾーンに空調対象者が存在する場合、部屋内の空気調和が行われていても、屋外の温度の影響を受けた空気がインテリアゾーンに進出し空調対象者に接触することで、快適性を損なうおそれがある。
【０００３】
そこで、近年の空気調和機には、屋外の温度の影響を受けた空気がインテリアゾーンに進出することを防ぐために、窓や壁面近傍にエアバリアを形成する機能を有するものがある。例えば、特許文献１（特開２０００−３３７６５１号公報）に開示されている空気調和機は、エアバリアを形成するための専用の吹き出し口から窓や壁面近傍に向けて調和空気を吹き出すことで、ペリメータゾーンにエアバリアを形成する。このようにして、この空気調和機では、窓や壁面近傍の空気がインテリアゾーンへ進出するおそれを減らしている。これによって、部屋内の快適性を維持している。
【発明の概要】
【発明が解決しようとする課題】
【０００４】
ところで、このような空気調和機では、調和空気が吹き出し開口から吹き出された直後に吸い込み開口から取り込まれる現象（以下、ショートサーキット現象という）が発生するおそれがある。また、例えば、取得部が常に機能している状態である場合、このショートサーキット現象が発生することで、部屋内の温度情報を正確に取得できないおそれがある。
【０００５】
そこで、本発明の課題は、不正確な温度情報を取得するおそれを減らすことができる空気調和機を提供することにある。
【課題を解決するための手段】
【０００６】
第１発明に係る空気調和機は、ケーシングと、風向調整部と、取得部と、制御部とを備えている。ケーシングは、部屋の天井近傍に設置されている。ケーシングには、吹き出し開口と吸い込み開口とが形成されている。また、吸い込み開口は、吹き出し開口よりも部屋の側方に位置する所定の壁面側に配置されている。風向調整部は、第１風向と、第２風向とを切り換え可能である。第１風向とは、吹き出し開口から所定の風向範囲内に吹き出す空気の吹き出し方向である。また、第２風向とは、吹き出し開口から所定の風向範囲よりも部屋の所定の壁面側に吹き出す空気の吹き出し方向である。取得部は、部屋内の温度情報を取得する機能を有している。また、取得部は、吸い込み開口近傍に配置されている。制御部は、暖房運転時において、吹き出し開口からの空気の吹き出し方向が第２風向である場合に、取得部を機能が停止している状態である機能停止状態にすることが可能である。
【０００７】
第１発明に係る空気調和機では、吸い込み開口が吹き出し開口よりも壁面側に設けられている。また、空気の吹き出し方向が第２風向である場合、取得部を機能停止状態とすることができる。このため、ショートサーキット現象が発生しやすい第２風向時において、不正確な温度情報を取得するおそれを減らすことができる。
【０００８】
また、吸い込み開口が吹き出し開口よりも壁面側に設けられているため、吹き出し開口が吸い込み開口よりも部屋の壁面側に設けられている空気調和機と比較して、インテリアゾーンに効率よく調和空気を吹き出すことができる。
【０００９】
これによって、部屋内の快適性を向上することができる。
【００１０】
第２発明に係る空気調和機は、第１発明の空気調和機であって、制御部は、吹き出し開口からの空気の吹き出し方向が第２風向から第１風向に切り換わった時から第１所定時間が経過するまで、取得部を機能停止状態にすることが可能である。
【００１１】
調和空気の吹き出し方向が第２風向から第１風向に切り換わった時からしばらくの間は、ショートサーキット現象が発生するおそれがある。しかしながら、第２発明の空気調和機では、空気の吹き出し方向が第２風向から第１風向に切り換わった時から第１所定時間が経過するまで取得部を機能停止状態とすることができる。このため、不正確な温度情報を取得するおそれを更に減らすことができる。
【００１２】
第３発明に係る空気調和機は、第１発明または第２発明の空気調和機であって、制御部は、部屋内の温度が安定しているか否かを判定する判定部を有する。判定部は、第１条件、第２条件および第３条件のうちの少なくとも１つの条件を満たしている場合に、部屋内の温度が安定していると判定する。第１条件とは、部屋内の温度情報を利用して算出される部屋内の温度と、予め設定されている設定温度との差が所定範囲内であるという条件である。また、第２条件とは、暖房運転を含む空気調和機の運転開始時から第２所定時間以上経過しているという条件である。さらに、第３条件とは、取得部の状態が機能停止状態となってから第３所定時間以上経過しているという条件である。そして、判定部によって部屋内の温度が安定していると判定された場合には、風向調整部を、第１風向から第２風向に切り換える。このため、この空気調和機では、部屋内の温度が安定しているか否かを判定することができる。
【００１３】
第４発明に係る空気調和機は、第１発明から第３発明のいずれかの空気調和機であって、吹き出し開口から吹き出される空気流を生成可能なファンを備えている。また、制御部は、第２風向時に、ファンが所定の風量となるように、ファンの回転を制御する。このため、例えば、必要以上の風量でファンが回転される場合と比較して、省エネルギー効果を高めることができる。
【００１４】
第５発明に係る空気調和機は、第４発明の空気調和機であって、ファンを収納可能な本体ケーシングを備える。また、本体ケーシングは、部屋の天井近傍であって、ケーシングの上方に設置される。このため、この空気調和機では、天井近傍から部屋内に調和空気を供給することができる。
【発明の効果】
【００１５】
第１発明に係る空気調和機では、不正確な温度情報の取得を抑制することができる。
【００１６】
第２発明に係る空気調和機では、不正確な温度情報の取得を抑制することができる。
【００１７】
第３発明に係る空気調和機では、部屋内の温度が安定しているか否かを判定することができる。
【００１８】
第４発明に係る空気調和機では、省エネルギー効果を高めることができる。
【００１９】
第５発明に係る空気調和機では、天井近傍から部屋内に調和空気を供給することができる。
【図面の簡単な説明】
【００２０】
【図１】本発明の実施形態に係る空気調和機の概略冷媒回路図。
【図２】室内機の外観斜視図（天井は省略）。
【図３】室内機の縦断面図であって、空気調和機の運転停止状態を示す図（図２のIII−III断面に相当）。
【図４】室内機を化粧パネル側から見た概略平面図。
【図５】室内機の縦断面図であって、空気調和機の運転状態を示す図（図２のV−V断面に相当）。
【図６】フラップの（ａ）閉状態、（ｂ）スイング状態、および、（ｃ）ペリメータ角度状態を示す図。
【図７】化粧パネルの第２開口の拡大図。
【図８】本発明の実施形態に係る空気調和機の制御ブロック図。
【図９】判定部の判定条件であって、暖房運転時の所定範囲を示す図。
【図１０】判定部の判定条件であって、冷房運転時の所定範囲を示す図。
【図１１】本発明の実施形態に係る空気調和機の運転開始後からのフラップの状態を示すフローチャート。
【図１２】インテリアゾーンの温度安定条件における判定部による判定の流れを示すフローチャート。
【図１３】切り換え条件における制御部による判断の流れを示すフローチャート。
【発明を実施するための形態】
【００２１】
＜空気調和機の構成概略＞
本発明の一実施形態に係る空気調和機１００は、天井に埋め込まれた状態で設置される天井埋込型の室内機１と、室外に設置される室外機３とを備えており、冷房運転、暖房運転、および除霜運転等を行うことができる。室内機１には、図１に示すように、室内熱交換器４が収容され、室外機３内には室外熱交換器６が収容されており、各熱交換器４，６が冷媒配管によって接続されることにより冷媒回路を構成している。この冷媒回路は、主として、室内熱交換器４、アキュムレータ１４、圧縮機９、四路切換弁８、室外熱交換器６および電動膨張弁１２で構成されている。
【００２２】
室内機１内には、室内熱交換器４の他に室内ファン５等が収容されている。なお、室内機１の詳細な構成については後に説明する。
【００２３】
室外機３には、圧縮機９の吐出側に接続される四路切換弁８と、圧縮機９の吸入側に接続されるアキュムレータ１４と、四路切換弁８に接続される室外熱交換器６と、室外熱交換器６に接続される電動膨張弁１２とが収容されている。電動膨張弁１２は、液閉鎖弁１０を介して液連絡配管に接続されており、この液連絡配管を介して室内熱交換器４の一端と接続されている。また、四路切換弁８は、ガス閉鎖弁１１を介してガス連絡配管に接続されており、このガス連絡配管を介して室内熱交換器４の他端と接続されている。さらに、室外機３には、室外熱交換器６での熱交換後の空気を外部に排出するためのプロペラファン７が収容されている。このプロペラファン７は、室外ファンモータによって回転駆動される。
【００２４】
＜室内機の構成＞
室内機１は、図２および図３に示すように、室内機本体２と、化粧パネル２０とを備えている。室内機本体２は、天井Uの開口Ｏを臨むように天井裏空間に配置される。また、化粧パネル２０は、開口Oを挟んで後述する室内機本体２の吸い込み側流路１９ａおよび吹き出し側流路１９ｂに対向するように室内機本体２に装着される。以下、室内機本体２および化粧パネル２０について説明する。
【００２５】
（１）室内機本体
室内機本体２は、図２および図３に示すように、室内機ケーシング１３、室内ファン５および室内熱交換器４等を有している。室内機ケーシング１３は、略直方体形状であり、下面が開口した箱状の形態を有している。また、室内機ケーシング１３には、室内ファン５および室内熱交換器４等が収容される。
【００２６】
室内ファン５は、長細い円筒形状に構成されるクロスフローファンであり、回転軸が室内機ケーシング１３の長手方向にそって延びるように、室内機ケーシング１３内部に収容されている。また、室内ファン５は、室内ファンモータ５ａ（図８参照）によって回転駆動されることで、回転軸と交わる方向に空気流を生成する。さらに、室内ファン５は、部屋内の空気を室内機本体２内に吸い込ませるとともに、室内熱交換器４との間で熱交換を行った後の空気を部屋内に吹き出させる。
【００２７】
室内熱交換器４は、長手方向両端で複数回折り返されてなる伝熱管と、伝熱管から挿通される複数のフィンとからなり、接触する空気との間で熱交換を行う。また、室内熱交換器４は、室内ファン５の下側の位置から室内ファン５から遠ざかるにつれて斜め上方に延びるように室内機ケーシング１３内に配置されている。
【００２８】
このように、室内機ケーシング１３内には、吸い込まれた部屋内の空気が、室内熱交換器４との間で熱交換を行い、再び部屋内に吹き出されるまでの空気流路が形成されている。また、この空気流路は、部屋内から吸い込まれた空気が室内熱交換器４に至るまでの流路部分である吸い込み側流路１９ａと、室内熱交換器４から室内ファン５を介して再び部屋内に吹き出されるまでの流路部分である吹き出し側流路１９ｂとから構成されている。
【００２９】
（２）化粧パネル
化粧パネル２０は、図２、図３および図４に示すように、平面視において、室内機ケーシング１３の天面よりも大きな略長方形状の部材である。また、化粧パネル２０には、第１開口２３（吸い込み開口に相当）および第２開口３０が設けられている。なお、本実施形態では、第１開口２３が第２開口３０よりも部屋内の壁面Ｗ側に設けられている。第１開口２３は、室内機本体２の吸い込み側流路１９ａに一致する位置に配置される略長方形状の開口である。また、第１開口２３は、吸い込み側流路１９ａを介して室内機ケーシング１３内部に連通するように設けられている。第２開口３０は、室内機本体２の吹き出し側流路１９ｂに一致する位置に配置される略長方形状の開口である。また、第２開口３０は、吹き出し側流路１９ｂを介して室内機ケーシング１３内部に連通するように設けられている。
【００３０】
さらに、第１開口２３には、第１開口２３の９０％を覆うことが可能なパネル２１が設けられている。パネル２１は、室内機本体２の長手方向に長い形状を有する板状の部材であり、室内機本体２の長手方向に平行な回転軸と、パネル駆動モータ２１ａ（図８参照）とを有している。また、パネル２１は、図３および図５に示すように、パネル駆動モータ２１ａによって回転軸を中心に回転されることで、第１開口２３を遮蔽または開放することができる。なお、回転軸は、化粧パネル２０において、化粧パネル２０の中央側に位置する第１開口２３の縁近傍に設けられている。また、本実施形態では、パネル２１は、後述するフラップ２２ａ，２２ｂの状態がスイング状態またはペリメータ角度状態であるときは、第１開口２３を開放している状態となっている。また、パネル２１は、フラップ２２ａ，２２ｂの状態が後述する閉状態であるときは、第１開口２３を遮蔽している状態となっている。なお、以下、パネル２１が、第１開口２３を開放している状態を開状態といい、第１開口２３を遮蔽している状態を閉状態という。
【００３１】
第２開口３０は、吹き出し開口２４ａ，２４ｂと隙間開口２５とから構成されている。吹き出し開口２４ａ，２４ｂおよび隙間開口２５は、連続して設けられている略長方形状の開口であり、吹き出し開口２４ａ，２４ｂと隙間開口２５との長辺の長さは同一である。また、隙間開口２５の短辺の長さは、後述するフラップ２２ａ，２２ｂが吹き出し開口２４ａ，２４ｂを閉じている状態で、１０ｍｍである。なお、本実施形態では、吹き出し開口２４ａ，２４ｂと隙間開口２５とが連続して設けられているが、吹き出し開口２４ａ，２４ｂと隙間開口２５とが独立して設けられていてもよい。
【００３２】
また、吹き出し開口２４ａ，２４ｂ近傍には、吹き出し開口２４ａ，２４ｂの９０％を覆うことが可能なフラップ２２ａ，２２ｂが設けられている。フラップ２２ａ，２２ｂは、室内機本体２の長手方向に長い形状を有する板状の部材であり、室内機本体２の長手方向に平行な回転軸２８ａ，２８ｂとフラップ駆動モータ２２ｃとを有している（図７および図８参照）。また、フラップ２２ａ，２２ｂは、図３、図５および図７に示すように、フラップ駆動モータ２２ｃによって回転軸２８ａ，２８ｂを中心に回転されることで、吹き出し開口２４ａ，２４ｂを遮蔽または開放する。また、フラップ２２ａ，２２ｂの水平面に対する傾斜角度を調整することで、フラップ２２ａ，２２ｂは、吹き出し開口２４ａ，２４ｂから部屋内に吹き出される空気の風向を変更することができる。なお、空気調和機１００から空気が吹き出される部屋内とは、空調対象者の居住空間であるインテリアゾーンＩＺと、インテリアゾーンＩＺよりも窓や壁面Ｗ近傍の空間であるペリメータゾーンＰＺとを有する室内空間である。また、本実施形態では、フラップ２２ａ，２２ｂは、空気調和機１００の運転動作等に応じて、３つの状態（閉状態、スイング状態およびペリメータ角度状態）になることが可能である。次に、図６を用いて、フラップ２２ａ，２２ｂの各状態について説明する。なお、ここでは、フラップ２２ｂを例にして説明し、フラップ２２ａの説明は省略する。
【００３３】
まず、閉状態においては、図６（ａ）に示すように、フラップ２２ｂは、吹き出し開口２４ｂを概ね閉じた状態、すなわち、吹き出し開口２４ｂとフラップ２２ｂとの隙間が最も小さくなって状態になっており、本実施形態において、フラップ２２ｂの水平面に対する傾斜角度α（図６（ａ）では省略）は、０度となる。
【００３４】
スイング状態においては、図６（ｂ）に示すように、フラップ２２ｂは、吹き出し開口２４ｂから吹き出される空気の吹き出し方向がインテリアゾーンＩＺを向く角度範囲内（例えば、フラップ２２ｂの水平面に対する傾斜角度αが、冷房運転時には０度から６０度の範囲内であり、暖房運転時には０度から３０度の範囲内）を回転軸２８ａ，２８ｂを中心に可変する。このため、スイング状態では、インテリアゾーンＩＺにおいて、所定の風向範囲内に空気が吹き出される。なお、図６（ｂ）には、スイング状態において、吹き出し開口２４ａ，２４ｂから吹き出される空気の風向の一例を矢印Ａ１で示している。
【００３５】
ペリメータ角度状態では、図６（ｃ）に示すように、フラップ２２ｂは、吹き出し開口２４ｂから吹き出される空気の吹き出し方向がペリメータゾーンＰＺを向く角度（例えば、フラップ２２ｂの水平面に対する傾斜角度αが８５度）となる。このため、ペリメータ角度状態では、インテリアゾーンＩＺよりもペリメータゾーンＰＺにより多くの空気が吹き出される。なお、図６（ｃ）には、ペリメータ角度状態において、吹き出し開口２４ａ，２４ｂから吹き出される空気の風向を矢印Ａ２で示している。
【００３６】
また、本実施形態では、図７に示すように、フラップ２２ａ，２２ｂが回動することによって、隙間開口２５の短辺の長さが変化する。例えば、吹き出し開口２４ａ，２４ｂがフラップ２２ａ，２２ｂによって開放されている場合の隙間開口２５の短辺の長さＬ２は、吹き出し開口２４ａ，２４ｂがフラップ２２ａ，２２ｂによって遮蔽されている状態の場合の隙間開口２５の短辺の長さＬ１と比較して、短くなる。なお、回転軸２８ａ，２８ｂは、化粧パネル２０において、化粧パネル２０の中央側に位置する吹き出し開口２４ａ，２４ｂの縁近傍に設けられている。
【００３７】
以上のような構成を有する室内機１において、例えば、フラップ２２ａ，２２ｂの状態がスイング状態である場合に、室内ファン５を回転させると、図５に示すように、部屋内の空気が第１開口２３から吸い込まれフィルタ４０および吸い込み側流路１９ａを介して室内熱交換器４へと送られる。室内熱交換器４に送られた空気は、室内熱交換器４を通過する際に温度調節され調和空気となる。そして、室内熱交換器４を通過した調和空気は、吹き出し側流路１９ｂを介して化粧パネル２０の第２開口３０の主に吹き出し開口２４ａ，２４ｂから部屋内のインテリアゾーンＩＺへ供給される。
【００３８】
＜制御部＞
制御部６０は、図８に示すように、室内機１に収容される室内ファンモータ５ａ、室内熱交換器４および室内熱交換器サーミスタ等の各種機器や、室外機３に収容される圧縮機９、四路切換弁８、電動膨張弁１２、室外熱交換器６および室外熱交換器サーミスタ等の各種機器と接続されており、リモートコントローラ５０等を介した空調対象者からの運転指令に基づいて、冷房運転および暖房運転等の各運転に応じて各種機器の運転制御を行う。また、リモートコントローラ５０には「パワフル運転設定」ボタンが設けられており、この「パワフル運転設定」ボタンが空調対象者によって押されると、制御部６０は、冷房運転または暖房運転をパワフル運転モードに切り換える。なお、ここでいうパワフル運転モードとは、一時的に室内ファン５の回転数や圧縮機９の運転周波数等を上げることで、一時的に空気調和機１００の空気調和処理能力を向上させることができるモードのことである。
【００３９】
また、制御部６０は、パネル駆動モータ２１ａおよびフラップ駆動モータ２２ｃと接続されており、パネル２１およびフラップ２２ａ，２２ｂの回動を制御することで、パネル２１およびフラップ２２ａ，２２ｂの状態を切り換えることができる。また、制御部６０は、空気調和機１００の運転停止時には、パネル２１およびフラップ２２ａ，２２ｂをともに閉状態に切り換える。また、空気調和機１００の運転時には、パネル２１を開状態にし、フラップ２２ａ，２２ｂの状態をスイング状態またはペリメータ角度状態に切り換える。さらに、空気調和機１００の運転時に、リモートコントローラ５０等を介した空調対象者からの角度設定指令があった場合には、制御部６０は、この角度設定指令に基づいて、パネル２１およびフラップ２２ａ，２２ｂの回動を制御することで、パネル２１およびフラップ２２ａ，２２ｂの水平面に対する傾斜角度を調整することができる。
【００４０】
また、制御部６０には、室温サーミスタ３３によって検知される部屋内のインテリアゾーンＩＺの温度情報を取得する機能を有する取得部６１が含まれる。制御部６０は、暖房運転時であり、かつ、フラップ２２ａ，２２ｂの状態がペリメータ角度状態である場合には、取得部６１の機能を停止させる。また、制御部６０は、フラップ２２ａ，２２ｂの状態がペリメータ角度状態からスイング状態に切り換わった時から所定時間（例えば、３０秒）が経過するまで、取得部６１の機能を停止させる。なお、本実施形態では、室温サーミスタ３３は、室内機１内部の第１開口２３近傍に配置されている。
【００４１】
さらに、制御部６０は、判定部６２として機能する。判定部６２では、以下の条件が満たされているか否かが判定される。
【００４２】
（１）部屋内のインテリアゾーンＩＺの温度と設定温度との差が所定範囲内である
（２）運転開始から所定時間以上経過している
（３）サーモオン開始後から所定時間以上経過している
（４）除霜運転中ではない
（５）パワフル運転中ではない
（６）取得部６１が、機能を停止された状態から機能している状態になってから所定時間以上経過している
（７）除霜運転から暖房運転に運転内容が変更されてから所定時間以上経過している
また、上記の条件を満たしているか否かの判定とは、（１）については、判定部６２は、まず、取得部６１によって取得された温度情報を利用して算出される部屋内のインテリアゾーンＩＺの温度と、予め空調対象者等によって設定されている設定温度との差の値を算出する。具体的には、判定部６２は、暖房運転時には設定温度からインテリアゾーンＩＺの温度を引いた値を算出し、冷房運転時にはインテリアゾーンＩＺの温度から設定温度を引いた値を算出する。そして、判定部６２は、その値が、暖房運転時には図９に示すＡからＥの範囲内であるか否かを判定し、冷房運転時には図１０に示すAからＥの範囲内であるか否かを判定する。なお、図９および図１０中の「上昇時」とはインテリアゾーンＩＺの温度上昇時を意味し、「下降時」とはインテリアゾーンＩＺの温度下降時を意味する。このため、暖房運転の運転開始時は「上昇時」から開始され、冷房運転の運転開始時は「下降時」から開始されることになる。そして、その差が上記範囲内である場合、判定部６２は、（１）の条件を満たしていると判定する。例えば、暖房運転開始時では、設定温度からインテリアゾーンＩＺの温度を引いた値が図９に示すＡからＥの範囲内である場合、判定部６２は、（１）の条件を満たしていると判定する。
【００４３】
（２）については、空気調和機１００において、冷房運転および暖房運転等の各運転が開始されてから所定時間（例えば、２０分）以上経過している場合には、判定部６２は、（２）の条件を満たしていると判定する。
【００４４】
（３）については、空気調和機１００においてサーモオンが開始されてから所定時間（例えば、５分）以上経過している場合には、判定部６２は、（３）の条件を満たしていると判定する。
【００４５】
（４）については、空気調和機１００の各運転において、除霜運転以外の運転が行われている場合には、判定部６２は、（４）の条件を満たしていると判定する。なお、除霜運転とは、暖房運転中に行われる運転であって、室外熱交換器についた霜を溶かすために自動的に行われる運転である。
【００４６】
（５）については、空調対象者等の運転指示によってパワフル運転モードに設定されていない場合には、判定部６２は、（５）の条件を満たしていると判定する。
【００４７】
（６）については、取得部６１が機能停止状態から機能状態になってから所定時間（例えば、１分）以上経過している場合には、判定部６２は、（６）の条件を満たしていると判定する。
【００４８】
（７）については、除霜運転から暖房運転に運転内容が変更された時から所定時間（例えば、５分）以上経過している場合には、判定部６２は、（７）の条件を満たしていると判定する。
【００４９】
判定部６２による上記判定に基づいて、制御部６０は、部屋内のインテリアゾーンＩＺの温度が安定しているか否かを判断する。なお、空気調和機１００の運転開始から制御部６０によって最初に行われる判断では、制御部６０は、判定部６２によって（１）から（５）の条件が満たされていると判定された場合に、部屋内のインテリアゾーンＩＺの温度が安定していると判断する。また、空気調和機１００の運転開始から制御部６０によって部屋内のインテリアゾーンＩＺの温度が安定していると１回以上判断されている場合では、制御部６０は、判定部６２によって上記条件のうちの（１）から（６）までの条件が満たされていると判定された場合に、部屋内のインテリアゾーンＩＺの温度が安定していると判断する。なお、（７）の条件については、除霜運転が行われた場合にのみ含まれる条件である。例えば、暖房運転中に除霜運転が行われた場合、制御部６０は、判定部６２によって上記条件のうちの全ての条件が満たされていると判定された場合に、部屋内のインテリアゾーンＩＺの温度が安定していると判断する。
【００５０】
さらに、制御部６０は、部屋内のインテリアゾーンＩＺの温度が安定していると判断した場合、フラップ２２ａ，２２ｂの状態をスイング状態からペリメータ角度状態に切り換える。なお、制御部６０は、部屋内のインテリアゾーンＩＺの温度が安定していないと判断した場合、フラップ２２ａ，２２ｂの状態をスイング状態で維持する。
【００５１】
また、制御部６０は、以下の切り換え条件のうちの少なくとも１つの条件が満たされていると判断した場合に、フラップ２２ａ，２２ｂの状態をペリメータ角度状態からスイング状態に切り換える。
【００５２】
（１）フラップ２２ａ，２２ｂの状態がペリメータ角度状態になってから所定時間以上経過している
（２）暖房運転時において室内熱交換器４の温度が所定温度以上である
（３）除霜運転が行われている
（４）部屋内のインテリアゾーンＩＺの温度と設定温度との差が所定範囲外である
（５）パワフル運転が行われている
例えば、（１）の切り換え条件では、フラップ２２ａ，２２ｂの状態がペリメータ角度状態になってから所定時間（例えば、２分）以上経過している場合には、制御部６０は、（１）の切り換え条件が満たされていると判断する。
【００５３】
（２）の切り換え条件では、室内熱交換器４内を流れる冷媒の温度を検知する熱交換器サーミスタから取得される温度情報を利用して、室内熱交換器４の温度が所定温度以上（例えば、５４度）である場合には、制御部６０は、（２）の切り換え条件が満たされていると判断する。なお、（２）の切り換え条件は、暖房運転時のみの切り換え条件である。
【００５４】
（３）の切り換え条件では、除霜運転が行われている場合には、制御部６０は、（３）の切り換え条件を満たしていると判断する。
【００５５】
（４）の切り換え条件では、暖房運転時には、判定部６２によって算出された設定温度からインテリアゾーンＩＺの温度を引いた値が図９に示すＦ〜Ｌの範囲内であると判定された場合、制御部６０は、（４）の条件を満たしていると判断する。また、冷房運転時には、判定部６２によって算出されたインテリアゾーンＩＺの温度から設定温度を引いた値が図１０に示すＦ〜Ｌの範囲内であると判定された場合、制御部６０は、（４）の条件を満たしていると判断する。
【００５６】
（５）の切り換え条件では、空調対象者等の運転指示によって、パワフル運転モードに設定されている場合、制御部は、（５）の切り換え条件を満たしていると判断する。
【００５７】
＜フラップの状態の切り換え動作＞
次に、図１１、図１２および図１３を用いて、冷房運転または暖房運転の運転時における制御部６０によるフラップの状態の切り換え動作について説明する。なお、ここでは、冷房運転または暖房運転が開始されており、制御部６０によって、パネル２１の状態が閉状態から開状態に、フラップ２２ａ，２２ｂの状態が閉状態からスイング状態に切り換えられている。
【００５８】
判定部６２は、インテリアゾーンＩＺの温度の安定条件を判定する（ステップＳ１）。このとき、制御部６０は、まず、空気調和機１００の運転開始から現時点までにフラップ２２ａ，２２ｂの状態をペリメータ角度状態に切り換えているか否かを判断する（ステップＳ２）。そして、制御部６０は、空気調和機１００の運転開始から現時点までにフラップ２２ａ，２２ｂの状態をペリメータ角度状態に切り換えていないと判断した場合、次に、空気調和機１００の運転開始から除霜運転が行われたか否かについて判断する（ステップＳ３）。そして、制御部６０が、空気調和機１００の運転開始から現時点までにフラップ２２ａ，２２ｂの状態をペリメータ角度状態に切り換えていないと判断し、かつ、空気調和機１００の運転開始から除霜運転が行われていないと判断した場合、判定部６２によって（１）から（５）の条件が満たされているか否かが判定される（ステップＳ４〜ステップＳ８）。そして、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（１）から（５）の条件が満たされているか否かが判定される。なお、（１）から（５）の条件が満たされているか否かの判定は、（１）から（５）のうちのすべての条件が満たされるまで繰り返される。
【００５９】
さらに、ステップＳ２において、制御部６０が空気調和機１００の運転開始から１回以上フラップ２２ａ，２２ｂの状態をペリメータ角度状態に切り換えていると判断した場合、判定部６２によって（６）の条件が満たされているか否かが判定される（ステップＳ９）。そして、判定部６２によって（６）の条件が満たされていると判定された場合、制御部６０は、空気調和機１００の運転開始から除霜運転が行われたか否かについて判断する（ステップＳ３）。このとき、制御部６０が、空気調和機１００の運転開始から除霜運転が行われていないと判断した場合、判定部６２によって（１）から（５）の条件が満たされているか否かが判定される（ステップＳ４〜ステップＳ８）。そして、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。さらに、ステップＳ９において、判定部６２によって（６）の条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（６）の条件が満たされているか否かが判定される。なお、（６）の条件が満たされているか否かの判定は、（６）の条件が満たされるまで繰り返される。
【００６０】
また、ステップＳ３において、制御部６０が、空気調和機１００の運転開始から除霜運転が行われたと判断した場合、判定部６２によって（７）の条件が満たされているか否かが判定される（ステップＳ１０）。そして、判定部６２によって（７）の条件が満たされていると判定された場合、判定部６２は、（１）から（５）の条件が満たされているか否かを更に判定する（ステップＳ４〜ステップＳ８）。このとき、判定部６２によって（１）から（５）のうちのすべての条件が満たされていると判定された場合、制御部６０は、部屋内のインテリアゾーンＩＺの温度が安定していると判断し、フラップ２２ａ，２２ｂの状態をスイング状態からペリメータ角度状態に切り換える（ステップＳ１１、ステップＳ１２）。また、判定部６２によって（１）から（５）の条件のうちの少なくとも１つの条件が満たされていないと判定された場合、制御部６０は、部屋内のインテリアゾーンＩＺの温度が安定していないと判断し、フラップ２２ａ，２２ｂの状態をスイング状態で維持する。さらに、ステップ１０において、判定部６２によって（７）の条件が満たされていないと判定された場合、制御部６０は、部屋内のインテリアゾーンＩＺの温度が安定していないと判断し、フラップ２２ａ，２２ｂの状態をスイング状態で維持する。そして、所定時間経過後、再び、判定部６２によって（７）の条件が満たされているか否かが判定される。なお、（７）の条件が満たされているか否かの判定は、（７）の条件が満たされるまで繰り返される。
【００６１】
フラップ２２ａ，２２ｂの状態がペリメータ角度状態に切り換えられると、次に、制御部６０は、フラップ２２ａ，２２ｂの状態をペリメータ角度状態からスイング状態に切り換える条件である切り換え条件が満たされているか否かを判断する（ステップＳ１３）。制御部６０は、（１）から（５）の切り換え条件のうちの少なくとも１つの切り換え条件が満たされていると判断した場合、フラップ２２ａ，２２ｂの状態をペリメータ角度状態からスイング状態に切り換える（ステップＳ１４〜ステップＳ１９）。また、ステップＳ１３において、（１）から（５）の切り換え条件のうちの少なくとも１つの切り換え条件が満たされていると判断されるまで、制御部６０は、フラップ２２ａ，２２ｂの状態をペリメータ角度状態で維持する。
【００６２】
また、フラップ２２ａ，２２ｂの状態がペリメータ角度状態からスイング状態に切り換えられると、制御部６０は、上記ステップＳ１〜ステップＳ１９を繰り返す。
【００６３】
このようにして、この空気調和機１００では、冷房運転または暖房運転時においてフラップ２２ａ，２２ｂの状態がスイング状態からペリメータ角度状態に、また、ペリメータ角度状態からスイング状態に切り換わることによって、インテリアゾーンＩＺおよびペリメータゾーンＰＺに調和空気を供給することができる。
【００６４】
なお、空調対象者から、空気調和機１００の運転停止の指示があった場合、制御部６０は、室内機１内および室外機３内の各種機器を制御することによって空気調和機１００の運転を停止させ、パネル２１およびフラップ２２ａ，２２ｂをともに閉状態に切り換える。
【００６５】
＜特徴＞
（１）
近年の空気調和機には、屋外の温度の影響を受けた空気がインテリアゾーンに進出することを防ぐために、窓や壁面近傍にエアバリアを形成する機能を有するものがある。例えば、特開２０００−３３７６５１号公報に開示されている空気調和機では、エアバリアを形成するための専用の吹き出し口から窓や壁面近傍に向けて調和空気を吹き出すことで、ペリメータゾーンにエアバリアを形成している。この空気調和機では、窓や壁面近傍の空気がインテリアゾーンへ進出するおそれを減らしている。これによって、部屋内の快適性を維持している。ところで、この空気調和機では、ペリメータゾーンにエアバリアを形成するために、エアバリアを形成するための専用の吹き出し口が設けられている。
【００６６】
そこで、上記実施形態では、制御部６０は、判定部６２の判定に基づいて、部屋内のインテリアゾーンＩＺの温度が安定していると判断した場合、フラップ２２ａ，２２ｂの状態をスイング状態からペリメータ角度状態に切り換える。また、制御部６０は、切り換え条件のうちの少なくとも１つの条件が満たされていると判断した場合に、フラップ２２ａ，２２ｂの状態をペリメータ角度状態からスイング状態に切り換える。このため、吹き出し開口２４ａ，２４ｂから吹き出される空気の吹き出し方向を変更することによって、スイング状態における風向範囲内よりもペリメータゾーンＰＺを向く角度に空気を吹き出し、ペリメータゾーンＰＺにエアバリアを形成することができる。したがって、壁面Ｗ近傍の空気がインテリアゾーンへ進出するおそれを減らすことができる。
【００６７】
これによって、冬季において暖房運転が行われている場合には窓や壁面からの冷輻射および冷気侵入を抑えることができ、夏季において冷房運転が行われている場合には窓や壁面からの日射による影響を抑えることができている。
【００６８】
また、制御部６０は、判定部６２の判定に基づいて、部屋内のインテリアゾーンＩＺの温度が安定していないと判断した場合、フラップ２２ａ，２２ｂの状態をスイング状態で維持している。このため、部屋内のインテリアゾーンＩＺの温度が安定していない場合には、ペリメータゾーンＰＺよりもインテリアゾーンＩＺに調和空気が吹き出されることになる。
【００６９】
これによって、専用の吹き出し開口を設けなくても、部屋内の快適性を維持することができている。
【００７０】
（２）
上記実施形態では、制御部６０は、室温サーミスタ３３によって検知される部屋内のインテリアゾーンＩＺの温度情報を取得する機能を有する取得部６１を含む。制御部６０は、暖房運転時であり、かつ、フラップ２２ａ，２２ｂの状態がペリメータ角度状態である場合には、取得部６１の機能を停止させる。また、制御部６０は、フラップ２２ａ，２２ｂの状態がペリメータ角度状態からスイング状態に切り換わった時から所定時間（例えば、３０秒）が経過するまで、取得部６１の機能を停止させる。さらに、室温サーミスタ３３は、室内機１内部の第１開口２３近傍に配置されている。このため、フラップ２２ａ，２２ｂの状態が、ペリメータ角度状態時、または、ペリメータ角度状態からスイング状態に切り換わった直後に、ショートサーキット現象が発生した場合でも、不正確な温度情報を取得するおそれを減らすことができている。
【００７１】
また、暖房運転時に第１開口２３から吹き出される空気は暖かい空気である。暖かい空気は部屋内の上部に溜まる可能性があるため、上記実施形態では、暖房運転時のみ、取得部６１の機能を停止させている。
【００７２】
＜変形例＞
（Ａ）
上記実施形態では、フラップ２２ａ，２２ｂの状態がペリメータ角度状態である場合の風量は、実施されている空気調和機１００の運転時の風量と等しい風量である。しかし、ペリメータゾーンＰＺにエアバリアを形成することができる最小限の風量（例えば、サーモオフ時の風量と等しい風量）をペリメータ角度状態の風量に設定することによって、室内ファンの回転数を減らすことができる。
【００７３】
これによって、省エネルギーを実現させることができる。
【００７４】
また、パネルが第１開口の１００％を覆い、フラップが吹き出し開口の１００％を覆うような空気調和機では、上記実施形態の空気調和機１００と比較して、サージングが起こりやすい構造となる。このようなサージングの起こりやすい構造の空気調和機の場合には、室内ファンによって吹き出される空気の風量に上限を設けることによって、振動音等の騒音を防止することができる。
【産業上の利用可能性】
【００７５】
本発明は、専用の吹き出し口を設けなくても、部屋内の快適性を維持することができるため、空気調和機への適用が有効である。
【符号の説明】
【００７６】
４      室内熱交換器（熱交換器）
５      室内ファン（ファン）
１３      本体ケーシング（室内機ケーシング）
２０      ケーシング（化粧パネル）
２３      第１開口（吸い込み開口）
６０      制御部
６１      取得部
６２      判定部
１００      空気調和機
２２ａ，２２ｂ  フラップ（風向調整部）
２４ａ，２４ｂ  吹き出し開口
【先行技術文献】
【特許文献】
【００７７】
【特許文献１】特開２０００−３３７６５１号公報
【図１】
0004835720.tif 000002
【図２】
0004835720.tif 000003
【図３】
0004835720.tif 000004
【図４】
0004835720.tif 000005
【図５】
0004835720.tif 000006
【図６】
0004835720.tif 000007
【図７】
0004835720.tif 000008
【図８】
0004835720.tif 000009
【図９】
0004835720.tif 000010
【図１０】
0004835720.tif 000011
【図１１】
0004835720.tif 000012
【図１２】
0004835720.tif 000013
【図１３】
0004835720.tif 000014